(57)【特許請求の範囲】
【請求項１】
下に位置する組み立てられた状態の大型折り畳みコンテナーの上に、小型折り畳みコンテナーを、小型折り畳みコンテナーの底部の短辺側が、下に位置する前記大型折り畳みコンテナーの相対する長側壁に跨がるように、且つ、小型折り畳みコンテナーの底部の一方の長辺側が、下に位置する前記大型折り畳みコンテナーの一方の短側壁に当接するように載置した際には、小型折り畳みコンテナーの底部の短辺側に位置する裏面の両端部付近に形成された凹部のうち、前記大型折り畳みコンテナーの中央寄りに位置する凹部に、前記大型折り畳みコンテナーの長側壁のフランジ部の中央部に突設された一対の嵌合凸部の一方の嵌合凸部が嵌合するように構成されているとともに、前記小型折り畳みコンテナーの裏面に形成された嵌合部が、前記大型折り畳みコンテナーの側壁の上端部に形成された切欠き段部に嵌合されるように構成されており、更に、前記大型折り畳みコンテナー同士を段積みした際には、下に位置する大型折り畳みコンテナーの長側壁のフランジ部の中央部に突設された前記一対の嵌合凸部が、上に位置する大型折り畳みコンテナーの底部の長辺側の中央部に形成された嵌合凹部に嵌合されるように構成されていることを特徴とする折り畳みコンテナー。
【請求項２】
折り畳みコンテナーの長側壁の垂直中心線付近に位置する外面に、フランジ部から下部水平リブまで延在する垂直補強リブを形成したことを特徴とする請求項１に記載の折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，図９に示されているように、平面形状が略長方形に形成された底部１の相対する長辺に、ヒンジ部を介して連結された長側壁２と、同じく、底部１の相対する短辺に、ヒンジ部を介して連結された短側壁３とからなる折り畳みコンテナー（以下、大型折り畳みコンテナーという。）Ｃ１が知られており、また、上記の底部１より小さな、平面形状が略長方形に形成された底部１０の相対する長辺に、ヒンジ部を介して連結された、上記の短側壁３と略同じ長さを有する長側壁２０と、底部１０の相対する短辺に、ヒンジ部を介して連結された、上記の長側壁２の長さの略半分の長さを有する短側壁３０とからなる折り畳みコンテナー（以下、小型折り畳みコンテナーという。）Ｃ１０が知られている。
【０００３】
大型折り畳みコンテナーＣ１は、図９に示されている箱型に組み立てられた状態から、短側壁３を内側に倒して、底部１の上に重ね、次いで、同じく、長側壁２を内側に倒して、底部１及び短側壁３の上に重ねることにより、折り畳まれるように構成されている。同様に、小型折り畳みコンテナーＣ１０も、図９に示されている箱型に組み立てられた状態から、短側壁３０を内側に倒して、底部１０の上に重ね、次いで、同じく、長側壁２０を内側に倒して、底部１０及び短側壁３０の上に重ねることにより、折り畳まれるように構成されている。
【０００４】
組み立てられた状態の大型折り畳みコンテナーＣ１の長側壁２及び短側壁３の上端部の内側角部には、それぞれ、切り欠き段部２ａ、３ａが形成されており、同様に、組み立てられた状態の小型折り畳みコンテナーＣ１０の長側壁２０及び短側壁３０の上端部の内側角部にも、それぞれ、切り欠き段部２０ａ、３０ａが形成されている。また、大型折り畳みコンテナーＣ１の底部１の裏面には、段積みした際に、下に位置する組み立てられた状態の大型折り畳みコンテナーＣ１の長側壁２の切り欠き段部２ａ及び短側壁３の切り欠き段部３ａに嵌合される後述する嵌合部が、底部１の周壁１ａの下端１ａ’を越えて下方に延在するように形成されている。同様に、小型折り畳みコンテナーＣ１０の底部１０の裏面にも、後述する嵌合部が、底部１０の周壁１０ａの下端１０ａ’を越えて下方に延在するように形成されている。
【０００５】
また、従来、一例として、図９に示されているように、大型折り畳みコンテナーＣ１の上に、１個或いは２個の小型折り畳みコンテナーＣ１０を段積みすることが行われている。
【０００６】
【発明が解決しようとする課題】
一例として、図９に示されているように、大型折り畳みコンテナーＣ１の上に、１個或いは２個の小型折り畳みコンテナーＣ１０を段積みした際に、上に位置する小型折り畳みコンテナーＣ１０の重さにより、大型折り畳みコンテナーＣ１の長側壁２の中央部付近が外側に膨出し、この長側壁２の中央部付近の外側への膨出により、大型折り畳みコンテナーＣ１の長側壁２の中央部付近に載置された小型折り畳みコンテナーＣ１０の底部１０が、長側壁２から外れて傾斜したり、大型折り畳みコンテナーＣ１内に落ち込んだりするという問題があった。折り畳みコンテナーが大型化し、長側壁２の横方向の長さがより長くなった場合には、特に、長側壁２の中央部付近が、外側へ膨出し易くなり、上記の問題が、より顕著となる。
【０００７】
また、大型折り畳みコンテナーＣ１の上に、１個の小型折り畳みコンテナーＣ１０を段積みした際に、型折り畳みコンテナーＣ１０が、下に位置する大型折り畳みコンテナーＣ１の長側壁２に沿って移動しやすいとう問題があった。
【０００８】
更に、大型折り畳みコンテナーＣ１の上に、１個或いは２個の小型折り畳みコンテナーＣ１０を段積みした際に、上に位置する小型折り畳みコンテナーＣ１０の重さにより、大型折り畳みコンテナーＣ１の長側壁２の中央部付近が外側に膨出したり、座屈を起こして、長側壁２が損傷するという問題があった。折り畳みコンテナーが大型化し、長側壁２の横方向の長さがより長くなった場合には、特に、長側壁２の損傷が惹起され易くなる。
【０００９】
本発明の目的は、上述した従来の折り畳みコンテナーが有する課題を解決することにある。
【００１０】
【課題を解決するための手段】
本発明は、上述した目的を達成するために、第１には、下に位置する組み立てられた状態の大型折り畳みコンテナーの上に、小型折り畳みコンテナーを、小型折り畳みコンテナーの底部の短辺側が、下に位置する前記大型折り畳みコンテナーの相対する長側壁に跨がるように、且つ、小型折り畳みコンテナーの底部の一方の長辺側が、下に位置する前記大型折り畳みコンテナーの一方の短側壁に当接するように載置した際には、小型折り畳みコンテナーの底部の短辺側に位置する裏面の両端部付近に形成された凹部のうち、前記大型折り畳みコンテナーの中央寄りに位置する凹部に、前記大型折り畳みコンテナーの長側壁のフランジ部の中央部に突設された一対の嵌合凸部の一方の嵌合凸部が嵌合するように構成されているとともに、前記小型折り畳みコンテナーの裏面に形成された嵌合部が、前記大型折り畳みコンテナーの側壁の上端部に形成された切欠き段部に嵌合されるように構成されており、更に、前記大型折り畳みコンテナー同士を段積みした際には、下に位置する大型折り畳みコンテナーの長側壁のフランジ部の中央部に突設された前記一対の嵌合凸部が、上に位置する大型折り畳みコンテナーの底部の長辺側の中央部に形成された嵌合凹部に嵌合されるように構成したものであり、第２には、折り畳みコンテナーの長側壁の垂直中心線付近に位置する外面に、フランジ部から下部水平リブまで延在する垂直補強リブを形成したものである。
【００１１】
【実施例】
以下に、本発明の実施例について説明するが、本発明の趣旨を越えない限り何ら、本実施例に限定されるものでない。なお、上述した従来の大型折り畳みコンテナー及び小型折り畳みコンテナーと同じ構成部材については、同じ符号が使用されており、また、その詳細な説明は省略する。
【００１２】
本実施例の大型折り畳みコンテナーＣ１も、同様に、平面形状が略長方形に形成された底部１の相対する長辺に、ヒンジ部を介して連結された長側壁２と、同じく、底部１の相対する短辺に、ヒンジ部を介して連結された短側壁３とから形成されている。長側壁２は、横長状の板部２ｂを有しており、板部２ｂの上端から外側に水平方向に延在する上部水平部２ｃと、上部水平部２ｃの先端から上方に延在する垂直部２ｄと、垂直部２ｄの上端から外側に水平方向に延在するフランジ部２ｅとを有しており、上部水平部２ｃと垂直部２ｄとにより、上述した切り欠き段部２ａが形成されている。
【００１３】
板部２ｂの下端から外側に水平方向に延在する下部水平リブ２ｆが形成されており、また、フランジ部２ｅの下方の近傍に位置する板部２ｂの外面には、外側に水平に延在する１本以上の中間水平リブ２ｇ、２ｈが形成されている（本実施例においては、２本の中間水平リブが形成されている）。また、板部２ｂの垂直端部からは、板部２ｂに対して垂直で、且つ、大型折り畳みコンテナーＣ１が組み立てられた状態において、短側壁３方向に延在する縦長の側部２ｉが形成されており、側部２ｉには、短側壁３の両端部に形成された係合雄部３ｂに係合可能な係合雌部２ｊが形成されている。大型折り畳みコンテナーＣ１が組み立てられた状態において、長側壁１の側部２ｉに形成された係合雌部２ｊと、短側壁３の両端部に形成された係合雄部３ｂとの係合により、簡単に、短側壁３が内側に倒れないようにロックされるように構成されており、このような長側壁１の係合雌部２ｊと短側壁３の係合雄部３ｂとからなるロック機構は、種々のものが公知であるので、詳細な説明は省略する。また、長側壁１の板部２ｂの両端やその近傍には、外側に延在する適当数の垂直リブ２ｋが形成されている。更に、長側壁１の外面には、フランジ部２ｅと中間水平リブ２ｇ、２ｈとを連結する垂直リブ２ｍが、適当な間隔で形成されている。
【００１４】
長側壁２の垂直中心線を挟んで、各長側壁２の垂直中心線付近に位置するフランジ部２ｅの上面には、上記垂直中心線を挟んで、一対の嵌合凸部２ｎが形成されている。また、長側壁２の垂直中心線に沿った長側壁２の外面、及び、垂直中心線を挟んで、その両側に位置する長側壁２の外面には、フランジ部２ｅから下部水平リブ２ｆまで延在する垂直補強リブ２ｐが形成されている。本実施例には、３本の垂直補強リブ２ｐが形成されているが、垂直中心線に沿った一本のみの垂直補強リブ２ｐを形成することも、また、垂直中心線に沿って形成された垂直補強リブ２ｐを省略して、垂直中心線を挟んで、その両側に２本の垂直補強リブ２ｐを形成することも、更には、長側壁２の中央部領域に、４本以上の垂直補強リブ２ｐを形成することもできる。
【００１５】
小型折り畳みコンテナーＣ１０の裏面斜視図である図６に示されているように、小型折り畳みコンテナーＣ１０の底部１０の短辺１０ｂ側に位置する裏面の少なくとも両端部付近には、凹部１０ｃか形成されている。１０ｄは、小型折り畳みコンテナーＣ１０を段積みした際に、下に位置する組み立てられた状態の小型折り畳みコンテナーＣ１０の長側壁２０の切り欠き段部２０ａ及び短側壁３０の切り欠き段部３０ａに嵌合される、上述した嵌合部であり、底部１０の周壁１０ａの下端１０ａ’を越えて下方に延在するように構成されている。なお、嵌合部１０ｄの裏面には、必要に応じて、交叉リブ１０ｄ’が形成されている。
【００１６】
図５に示されているように、下に位置する大型折り畳みコンテナーＣ１の上に、１個の小型折り畳みコンテナーＣ１０を、小型折り畳みコンテナーＣ１０の底部１０の短辺１０ｂ側が、下に位置する大型折り畳みコンテナーＣ１の相対する長側壁２に跨がるように、且つ、小型折り畳みコンテナーＣ１０の底部１０の一方の長辺１０ｅ側が、下に位置する大型折り畳みコンテナーＣ１の一方の短側壁３に当接するように載置した際には、小型折り畳みコンテナーＣ１０の底部１０の短辺１０ｂ側に位置する裏面の両端部付近に形成された凹部１０ｃのうち、大型折り畳みコンテナーＣ１の中央寄りに位置する凹部１０ｃに、大型折り畳みコンテナーＣ１の長側壁２のフランジ部２ｅに突設された一対の嵌合凸部２ｎのうち、小型折り畳みコンテナーＣ１０が載置される短側壁３側に位置する嵌合凸部２ｎが嵌合するように構成されている。同様に、もう一個の小型折り畳みコンテナーＣ１０を載置し、図８に示されているように、下が位置する大型折り畳みコンテナーＣ１の上に、２個の小型折り畳みコンテナーＣ１０が載置できるように構成されている。
【００１７】
上述したように、下に位置する大型折り畳みコンテナーＣ１の上に、小型折り畳みコンテナーＣ１０を段積みした際に、小型折り畳みコンテナーＣ１０の底部１０の短辺１０ｂ側に位置する裏面の両端部付近に形成された凹部１０ｃに、大型折り畳みコンテナーＣ１の長側壁２のフランジ部２ｅに突設された嵌合凸部２ｎが嵌合するように構成されているので、下に位置する大型折り畳みコンテナーＣ１の長側壁２の中央部付近が、外側への膨出するようなことがなく、従って、大型折り畳みコンテナーＣ１に載置された小型折り畳みコンテナーＣ１０の大型折り畳みコンテナーＣ１の中央部付近に位置する底部１０が、大型折り畳みコンテナーＣ１の長側壁２から外れて傾斜したり、大型折り畳みコンテナーＣ１内に落ち込んだりするようなことが防止でき、安定した状態で、大型折り畳みコンテナーＣ１の上に、小型折り畳みコンテナーＣ１０を段積みすることができる。
【００１８】
また、下に位置する大型折り畳みコンテナーＣ１の上に、小型折り畳みコンテナーＣ１０を段積みした際に、小型折り畳みコンテナーＣ１０の底部１０に形成された凹部１０ｃに、大型折り畳みコンテナーＣ１の長側壁２に突設された嵌合凸部２ｎが嵌合するように構成されているので、大型折り畳みコンテナーＣ１の上に、１個の小型折り畳みコンテナーＣ１０を段積みした際に、小型折り畳みコンテナーＣ１０が、下に位置する大型折り畳みコンテナーＣ１の長側壁２に沿って移動するようなことがない。
【００１９】
また、大型折り畳みコンテナーＣ１の長側壁２の垂直中心線付近に位置する長側壁１の外面には、フランジ部２ｅから下部水平リブ２ｆまで延在する垂直補強リブ２ｐが形成され、長側壁２が補強されているので、小型折り畳みコンテナーＣ１０が載置された際に、大型折り畳みコンテナーＣ１の長側壁２が変形したり、座屈を起こしたりして、損傷するようなことが防止できる。
【００２０】
大型折り畳みコンテナーＣ１の裏面斜視図である図４に示されているように、大型折り畳みコンテナーＣ１の底部１の長辺１ｂ側には、周壁１ａに沿って、下方が開放された凹溝１ｃが形成されており、凹溝１ｃには、所定の間隔で隔壁リブ１ｄが形成されている。底部１の長辺１ｂの中央部に位置する一対の隣接する隔壁リブ１ｄ’により、凹溝１ｃの中央部には、嵌合凹部１ｅが形成されている。１ｆは、大型折り畳みコンテナーＣ１同士を段積みした際に、下に位置する組み立てられた状態の大型折り畳みコンテナーＣ１の長側壁２の切り欠き段部２ａ及び短側壁３の切り欠き段部３ａに嵌合される底部１の裏面に形成された、上述した嵌合部であり、底部１の周壁１ａの下端１ａ’を越えて下方に延在するように構成されている。なお、大型折り畳みコンテナーＣ１の底部１に形成された嵌合部１ｆの短辺１ｇに平行な中央領域には、図５や図８に示されているように、長側壁２０が当接するように配置された２個の小型折り畳みコンテナーＣ１０の上に、大型折り畳みコンテナーＣ１を段積みした際に、当接した２個の小型折り畳みコンテナーＣ１０の長側壁２０の上端部が挿入される凹溝１ｈが形成されている。なお、嵌合部１ｆの裏面には、必要に応じて、交叉リブ１ｆ’が形成されている。
【００２１】
大型折り畳みコンテナーＣ１同士を段積みした際には、下に位置する大型折り畳みコンテナーＣ１の長側壁２の垂直中心線付近に位置するフランジ部２ｅの上面に形成された一対の嵌合凸部２ｎが、上に位置する大型折り畳みコンテナーＣ１の底部１の長辺１ｂ側の中央部に形成された嵌合凹部１ｅに嵌合されるように構成されており、嵌合凸部２ｎが、大型折り畳みコンテナーＣ１同士の段積み作業の邪魔にならないように構成されている。
【００２２】
なお、上述した実施例には、大型折り畳みコンテナーＣ１の上に、２個の小型折り畳みコンテナーＣ１０が段積みされる例が示されているが、大型折り畳みコンテナーＣ１の上に、３個の小型折り畳みコンテナーＣ１０を段積みすることもできる。この場合には、中央に配置された小型折り畳みコンテナーＣ１０の底部１０の短辺１０ｂ側の両端部に形成された２個の凹部１０ｃに対応する大型折り畳みコンテナーＣ１のフランジ部２ｅに、上述した嵌合凸部２ｎを２個、形成するとともに、中央に配置された小型折り畳みコンテナーＣ１０の両側に配置された小型折り畳みコンテナーＣ１０の短辺１０ｂ側の両端部に形成された２個の凹部１０ｃのうちの中央に配置された小型折り畳みコンテナーＣ１０側の凹部１０ｃに対応する大型折り畳みコンテナーＣ１のフランジ部２ｅに、それぞれ、１個の嵌合凸部２ｎを形成する。大型折り畳みコンテナーＣ１の上に、４個以上の小型折り畳みコンテナーＣ１０を段積みする場合にも、同様にして、適当な位置に、適当数の嵌合凸部２ｎを形成する。
【００２３】
【発明の効果】
本発明は、以上説明した構成を有しているので、以下に記載する効果を奏するものである。
【００２４】
下に位置する折り畳みコンテナーの上に、これより小さい底部を有する小型折り畳みコンテナーを段積みした際に、小型折り畳みコンテナーの底部に形成された凹部に、折り畳みコンテナーの長側壁に突設された嵌合凸部が嵌合するように構成されているので、下に位置する折り畳みコンテナーの長側壁が、外側への膨出するようなことがなく、従って、折り畳みコンテナーに載置された小型折り畳みコンテナーが、折り畳みコンテナーの長側壁から外れて傾斜したり、折り畳みコンテナー内に落ち込んだりするようなことが防止でき、安定した状態で、折り畳みコンテナーの上に、小型折り畳みコンテナーを段積みすることができる。
【００２５】
下に位置する折り畳みコンテナーの上に、小型折り畳みコンテナーを段積みした際に、小型折り畳みコンテナーの底部に形成された凹部に、折り畳みコンテナーの長側壁に突設された嵌合凸部が嵌合するように構成されているので、折り畳みコンテナーの上に、１個の小型折り畳みコンテナーを段積みした際に、型折り畳みコンテナーが、下に位置する折り畳みコンテナーの長側壁に沿って移動するようなことがない。
【００２６】
折り畳みコンテナーの長側壁の垂直中心線付近に位置する外面に、フランジ部から下部水平リブまで延在する垂直補強リブが形成され、長側壁が補強されているので、小型折り畳みコンテナーが載置された際に、折り畳みコンテナーの長側壁が変形したり、座屈を起こしたりして、損傷するようなことが防止できる。
【図面の簡単な説明】
【図１】図１は本発明の折り畳みコンテナーの斜視図である。
【図２】図２は本発明の折り畳みコンテナーの組み立て途中の斜視図である。
【図３】図３は本発明の折り畳みコンテナーの折り畳まれた状態の斜視図である。
【図４】図４は本発明の折り畳みコンテナーの裏面斜視図である。
【図５】図５は本発明の折り畳みコンテナーと２つの小型折り畳みコンテナーとの段積みを説明するための斜視図である。
【図６】図６は本発明の折り畳みコンテナーに段積みされる小型折り畳みコンテナー裏面斜視図である。
【図７】図７は本発明の折り畳みコンテナーの部分拡大斜視図である。
【図８】図８は本発明の折り畳みコンテナーと２つの小型折り畳みコンテナーとの段積み状態の斜視図である。
【図９】図９は従来の折り畳みコンテナーと２つの小型折り畳みコンテナーとの段積みを説明するための斜視図である。
【符号の説明】
Ｃ１・・・・・・・・・・・大型折り畳みコンテナー
Ｃ２・・・・・・・・・・・大型折り畳みコンテナー
１・・・・・・・・・・・・底部
２・・・・・・・・・・・・長側壁
３・・・・・・・・・・・・短側壁
２ｎ・・・・・・・・・・・嵌合凸部
２ｐ・・・・・・・・・・・垂直補強リブ
１０ｃ・・・・・・・・・・凹部
【図１】
0004350882.tif 000002
【図２】
0004350882.tif 000003
【図３】
0004350882.tif 000004
【図４】
0004350882.tif 000005
【図５】
0004350882.tif 000006
【図６】
0004350882.tif 000007
【図７】
0004350882.tif 000008
【図８】
0004350882.tif 000009
【図９】
0004350882.tif 000010